(57)【特許請求の範囲】
【請求項１】
飲料及び氷片の少なくとも一方を含む供給物を生成するディスペンサ本体と、
前記ディスペンサ本体の前面パネルに設けられた格納区画と、
前記格納区画内に配置され、前記ディスペンサ本体で生成された前記供給物を放出する放出部と、
前記格納区画を覆うように前記前面パネルに着脱可能に取付けられたカバー部材と
を備え、
前記前面パネル及び前記カバー部材には、前記カバー部材を前記前面パネルに着脱可能に取付けるための係合部が設けられており、前記係合部は、前記カバー部材が前記前面パネルに取付けられている際に、前記カバー部材の下部を軸として前記カバー部材の上部を前方且つ下方へと引倒す前記カバー部材の回動を許容しつつ、前記カバー部材の上部を軸として前記カバー部材の下部を前方且つ上方へと引上げる前記カバー部材の回動を規制するように構成されたディスペンサであって、
前記前面パネルの前記格納区画には、
前記ディスペンサ本体の奥行方向に沿う前記格納区画の最奥に配置され前記ディスペンサ本体の高さ方向及び幅方向に沿って延在された奥壁部と、
前記幅方向に沿う前記奥壁部の両側から前記奥行方向に沿って延在された一対の側壁部と、
前記奥壁部の下端から前記奥行方向に沿って突出された支持板部と
が設けられており、
前記カバー部材には、
前記カバー部材が前記前面パネルに取付けられた際に前記格納区画を正面から覆う前板部と、
前記前板部の下端から前記奥行方向に沿って延在された底板部と、
前記幅方向に沿う前記前板部の両側から前記奥行方向に沿って延在された一対の側板部と
が設けられており、
前記係合部は、
前記一対の側壁部の上部に設けられ、前記一対の側壁部から前記幅方向に沿って突出された係合ピンと、
前記幅方向に沿う前記支持板部の両側部に形成された係合穴と、
前記底板部の後端下部に設けられた下部フックと、
前記側板部の上部に設けられた上部フックと
を含んでおり、
前記カバー部材が前記前面パネルに取付けられた際に、前記下部フックが前記支持板部の上方から前記係合穴に係合されるとともに、前記上部フックが前記係合ピンの上方から前記係合ピンに係合されるように構成されている
ことを特徴とするディスペンサ。
【請求項２】
前記格納区画内には、前記ディスペンサ本体の動作を制御するための制御操作部が設けられていることを特徴とする請求項１記載のディスペンサ。
【請求項３】
前記カバー部材には、前記カバー部材が前記前面パネルに取付けられた際に前記前面パネルから前方に向かって突出される側板部が設けられており、前記前面パネルに対する前記側板部の突出量は、前記側板部の下端から上端に向かうにつれて小さくなっていることを特徴とする請求項１又は請求項２に記載のディスペンサ。
【請求項４】
前記前面パネルには、前記ディスペンサ本体の幅方向に沿う前記格納区画の両側から前方へと突出されるとともに、前記ディスペンサ本体の高さ方向に沿って前記格納区画の上端から下端まで延在された一対のリブ部が設けられていることを特徴とする請求項１から請求項３までのいずれか１項に記載のディスペンサ。
【発明の詳細な説明】
【技術分野】
【０００１】
本発明は、飲料及び氷片の少なくとも一方を含む供給物を放出部から放出するディスペンサに関するものである。
【背景技術】
【０００２】
従来用いられていたこの種のディスペンサとしては、例えば特許文献１等に示されているディスペンサを挙げることができる。すなわち、従来のディスペンサでは、ディスペンサ本体の前面パネルに格納区画が設けられており、ディスペンサ本体で生成された供給物を放出するための放出部が格納区画内に設けられている。前面パネルには、格納区画を覆うカバー部材が着脱可能に取付けられている。前面パネル及びカバー部材にはバヨネット式の係合部が設けられており、ディスペンサ本体の高さ方向に沿う上下方向に沿ってカバー部材が進退されることで、前面パネルに対するカバー部材の着脱が行われる。利用者は、放出部の下方にカップを配置して、放出部からの供給物をカップで受ける。
【先行技術文献】
【特許文献】
【０００３】
【特許文献１】特表２００５−５２２２５５号公報
【発明の概要】
【発明が解決しようとする課題】
【０００４】
上記のような従来のディスペンサでは、上下方向に沿ってカバー部材が進退されることで前面パネルに対するカバー部材の着脱が行われるように構成されているので、放出部からの供給物をカップで受けた後に利用者がカップを持ち上げようとした際に、利用者の手又はカップがカバー部材に当ることにより、カバー部材が前面パネルから外れてしまうことがあり、不便となっている。
【０００５】
本発明は、上記のような課題を解決するためになされたものであり、その目的は、利用者がカップを持ち上げようとした際に利用者の手又はカップがカバー部材に当たってもカバー部材が前面パネルから外れることを回避でき、利便性を向上できるディスペンサを提供することである。
【課題を解決するための手段】
【０００６】
本発明に係るディスペンサは、飲料及び氷片の少なくとも一方を含む供給物を生成するディスペンサ本体と、ディスペンサ本体の前面パネルに設けられた格納区画と、格納区画内に配置され、ディスペンサ本体で生成された供給物を放出する放出部と、格納区画を覆うように前面パネルに着脱可能に取付けられたカバー部材とを備え、前面パネル及びカバー部材には、カバー部材を前面パネルに着脱可能に取付けるための係合部が設けられており、係合部は、カバー部材が前面パネルに取付けられている際に、カバー部材の下部を軸としてカバー部材の上部を前方且つ下方へと引倒すカバー部材の回動を許容しつつ、カバー部材の上部を軸としてカバー部材の下部を前方且つ上方へと引上げるカバー部材の回動を規制するように構成されたディスペンサであって、前面パネルの格納区画には、ディスペンサ本体の奥行方向に沿う格納区画の最奥に配置されディスペンサ本体の高さ方向及び幅方向に沿って延在された奥壁部と、幅方向に沿う奥壁部の両側から奥行方向に沿って延在された一対の側壁部と、奥壁部の下端から奥行方向に沿って突出された支持板部とが設けられており、カバー部材には、カバー部材が前面パネルに取付けられた際に格納区画を正面から覆う前板部と、前板部の下端から奥行方向に沿って延在された底板部と、幅方向に沿う前板部の両側から奥行方向に沿って延在された一対の側板部とが設けられており、係合部は、一対の側壁部の上部に設けられ、一対の側壁部から幅方向に沿って突出された係合ピンと、幅方向に沿う支持板部の両側部に形成された係合穴と、底板部の後端下部に設けられた下部フックと、側板部の上部に設けられた上部フックとを含んでおり、カバー部材が前面パネルに取付けられた際に、下部フックが支持板部の上方から係合穴に係合されるとともに、上部フックが係合ピンの上方から係合ピンに係合されるように構成されている。
【発明の効果】
【０００７】
本発明のディスペンサによれば、係合部は、カバー部材の下部を軸としてカバー部材の上部を前方且つ下方へと引倒すカバー部材の回動を許容しつつ、カバー部材の上部を軸としてカバー部材の下部を前方且つ上方へと引上げるカバー部材の回動を規制するように構成されているので、利用者がカップを持ち上げようとした際に利用者の手又はカップがカバー部材に当たっても、係合部によりカバー部材の回動が規制されることによりカバー部材が前面パネルから外れることを回避でき、利便性を向上できる。
【図面の簡単な説明】
【０００８】
【図１】本発明の実施の形態１によるディスペンサを示す斜視図である。
【図２】図１のカバー部材が取り外された状態の前面パネルを示す斜視図である。
【図３】図２の制御操作部を示す正面図である。
【図４】図２の放出部が取り外された状態の格納区画を示す斜視図である。
【図５】図２のカバー部材と前面パネルとを示す側面図である。
【図６】図５のカバー部材が前面パネルに取付けられた状態を示す側面図である。
【図７】図６の前面パネルに対するカバー部材の着脱方法を示す説明図である。
【図８】図７の格納区画の周辺を拡大して示す斜視図である
【発明を実施するための形態】
【０００９】
以下、本発明を実施するための形態について、図面を参照して説明する。
実施の形態１．
図１は、本発明の実施の形態１によるディスペンサを示す斜視図である。図において、ディスペンサ本体１は、本体ケーシング１０と、この本体ケーシング１０内に格納された例えば製氷機及び飲料冷却機構等からなる供給物生成部１１とを有するものであり、飲料及び氷片の少なくとも一方を含む供給物を生成するものである。本実施の形態では、飲料としての水と氷片とを供給物として生成する。なお、飲料は、例えばお茶、ジュース、及びスープ等であってもよい。
【００１０】
本体ケーシング１０の前面上部には前面パネル２が設けられており、前面パネル２の下部にはカバー部材３が着脱自在に取付けられている。これら前面パネル２及びカバー部材３については、後に詳しく説明する。
【００１１】
ディスペンサ本体１の高さ方向１ａ及び幅方向１ｂに沿う本体ケーシング１０の前面略中央部には、操作レバー４が設けられている。操作レバー４は、例えばカップを押し当てる等の利用者による操作が行われるものであり、操作レバー４の操作が行われることにより、ディスペンサ本体１で生成された供給物が外部へと放出される。本体ケーシング１０の前面下部には、例えばカップからこぼれ落ちる等した供給物を受けるためのドレンパン５が設けられている。
【００１２】
次に、図２は図１のカバー部材３が取り外された状態の前面パネル２を示す斜視図であり、図３は図２の制御操作部２１を示す正面図である。図２に示すように、前面パネル２の下部には、前面パネル２の他の部分に比べてディスペンサ本体１の奥行方向１ｃに沿って窪んだ凹形状の格納区画２０が設けられている。格納区画２０内には、制御操作部２１、放出部２２、及び磁石２３が配置されている。
【００１３】
図３に示すように、制御操作部２１には、表示部２１ａ、排水操作スイッチ２１ｂ、切換ロックスイッチ２１ｃ、及び定量設定スイッチ２１ｄが設けられている。表示部２１ａは、ディスペンサ本体１の動作状態及び設定値を表示するものである。排水操作スイッチ２１ｂは、ディスペンサ本体１の水を排水する排水動作をディスペンサ本体１に実施させるためのスイッチであり、例えばディスペンサ本体１内の清掃を行うとき等に操作される。切換ロックスイッチ２１ｃは、例えば水及び氷片の両方を放出するか、水のみを放出するか、又は氷片のみを放出するか等の操作レバー４の操作が行われた際の放出動作の切り換えを規制するためのスイッチである。定量設定スイッチ２１ｄは、操作レバー４が操作された際の氷片の放出量を設定するためのスイッチである。すなわち、制御操作部２１は、ディスペンサ本体１の動作を制御するためのものである。図２に戻り、カバー部材３は、格納区画２０を覆うように前面パネル２に取付けられる。すなわち、制御操作部２１は、前面パネル２にカバー部材３が取付けられることで、カバー部材３により隠される。制御操作部２１がカバー部材３によって隠されることで、第三者によりディスペンサ本体１の動作設定が不必要に変更されることが回避される。
【００１４】
放出部２２は、飲料放出ノズル２２ａと氷片放出ノズル２２ｂとを含むものであり、利用者による操作レバー４の操作に応じて、ディスペンサ本体１で生成された飲料及び氷片を放出する。この放出部２２も、上述の制御操作部２１とともにカバー部材３により隠される。
【００１５】
磁石２３は、格納区画２０の上部に配置されている。カバー部材３の背面には、磁石２３に対応する受金３ａが設けられている。磁石２３に受金３ａが吸着されることで、カバー部材３が前面パネル２に対して固定される。
【００１６】
次に、図４は、図２の放出部２２が取り外された状態の格納区画２０を示す斜視図である。図に示すように、格納区画２０には、奥壁部２００と、一対の側壁部２１０と、支持板部２２０とが設けられている。奥壁部２００は、ディスペンサ本体１の奥行方向１ｃに沿う格納区画２０の最奥に配置された壁であり、ディスペンサ本体１の高さ方向１ａ及び幅方向１ｂに沿って延在されている。図４では片側の側壁部２１０のみを示しているが、側壁部２１０は、ディスペンサ本体１の幅方向１ｂに沿う奥壁部２００の両側から奥行方向１ｃに沿って延在された壁である。これら奥壁部２００及び側壁部２１０の一部には放出部２２を供給物生成部１１（図１参照）に接続するための開口部２３０が設けられているが、基本的には、本体ケーシング１０の内外は、奥壁部２００及び側壁部２１０によって区画されている。すなわち、格納区画２０は、仮に放出部２２からの供給物がカップで跳ねても、供給物が本体ケーシング１０内に浸入しないように構成されている。
【００１７】
各側壁部２１０の上部には、各側壁部２１０からディスペンサ本体１の幅方向１ｂに沿って突出された係合ピン２１０ａが設けられている。係合ピン２１０ａは、前面パネル２に対するカバー部材３の取付けに使用されるものである。
【００１８】
支持板部２２０は、奥壁部２００の下端から奥行方向１ｃに沿って突出された板部材である。ディスペンサ本体１の幅方向１ｂに沿う支持板部２２０の両側部には、係合穴２２０ａが形成されている。係合穴２２０ａは、上述の係合ピン２１０ａとともに、前面パネル２に対するカバー部材３の取付けに用いられるものである。
【００１９】
次に、図５は図２のカバー部材３と前面パネル２とを示す側面図であり、図６は図５のカバー部材３が前面パネル２に取付けられた状態を示す側面図である。なお、図２には斜め前方から見たときのカバー部材３が示されている。図２、図５及び図６に示すように、カバー部材３には、前板部３０、底板部３１、及び一対の側板部３２が設けられている。
【００２０】
前板部３０は、カバー部材３が前面パネル２に取付けられた際に、格納区画２０を正面から覆う板部材である。前板部３０は、カバー部材３が前面パネル２に取付けられた際に、前面パネル２の操作部２５が設けられた面２ａ（格納区画２０の上方における前面パネル２の面２ａ）と連続した面を形成するように構成されている（図６参照）。
【００２１】
底板部３１は、前板部３０の下端からディスペンサ本体１の奥行方向１ｃに沿って延在された板部材である。底板部３１の後端下部には、カバー部材３が前面パネル２に取付けられた際に、支持板部２２０の上方から係合穴２２０ａに係合される下部フック３１ａが設けられている。
【００２２】
側板部３２は、ディスペンサ本体１の幅方向１ｂに沿う前板部３０の両側からディスペンサ本体１の奥行方向１ｃに沿って延在された板部材である。側板部３２は、カバー部材３が前面パネル２に取付けられた際に前面パネル２から前方に向かって突出されるように構成されている（図６参照）。前面パネル２に対する側板部３２の突出量３２ｃは、側板部３２の下端から上端に向かうにつれて小さくなっている。側板部３２の上部には、上部フック３２ａと把持用凹部３２ｂとが設けられている。上部フック３２ａは、カバー部材３が前面パネル２に取付けられた際に、係合ピン２１０ａの上方から係合ピン２１０ａに係合される。把持用凹部３２ｂは、前面パネル２に対するカバー部材３の取付けに利用されるものである。
【００２３】
次に、図７は、図６の前面パネル２に対するカバー部材３の着脱方法を示す説明図である。カバー部材３を前面パネル２に取付けるときには、支持板部２２０の前端に押し当てられた底板部３１の後端部、すなわちカバー部材３の下部（カバー部材３の下部後端部）を軸として、カバー部材３の上部を後方かつ上方へと持ち上げるようにカバー部材３を回動させる。そして、下部フック３１ａが係合穴２２０ａに係合されるとともに、上部フック３２ａが係合ピン２１０ａに係合されることで、カバー部材３を前面パネル２に取付けられる。このとき、図２に示す磁石２３と受金３ａとの間の磁気的吸着力により、前面パネル２がカバー部材３に対して固定される。
【００２４】
一方で、カバー部材３を前面パネル２から取り外すときには、支持板部２２０の前端に押し当てられた底板部３１の後端部、すなわちカバー部材３の下部（カバー部材３の下部後端部）を軸として、カバー部材３の上部を前方かつ下方へと引き下げるようにカバー部材３を回動させる。このとき、利用者は、側板部３２の上部に設けられた把持用凹部３２ｂを指で挟んで、カバー部材３を回動させる。側板部３２の上部の突出量３２ｃを狭くしているのは、カバー部材３を取り外す際のカバー部材３の掴みしろを敢えて小さくし、第三者によりカバー部材３が不必要に取り外されることを防止するためである。
【００２５】
ここで、下部フック３１ａが係合穴２２０ａに上方から係合されるとともに、上部フック３２ａが係合ピン２１０ａに上方から係合されることで、カバー部材３が前面パネル２に取付けられている。このため、カバー部材３が前面パネル２に取付けられているときに、カバー部材３の上部を軸としてカバー部材３の下部を前方且つ上方へと引上げるカバー部材３の回動は、下部フック３１ａ及び係合穴２２０ａ、並びに上部フック３２ａ及び係合ピン２１０ａにより規制される。すなわち、本実施の形態では、下部フック３１ａ及び係合穴２２０ａ、並びに上部フック３２ａ及び係合ピン２１０ａは、カバー部材３の下部を軸としてカバー部材３の上部を前方且つ下方へと引倒すカバー部材３の回動を許容しつつ、カバー部材３の上部を軸としてカバー部材３の下部を前方且つ上方へと引上げるカバー部材３の回動を規制する係合部を構成している。上述のようなカバー部材３の上部を軸とするカバー部材３の回動を規制することで、放出部２２からの供給物をカップで受けた後に利用者がカップを持ち上げようとした際に、利用者の手又はカップがカバー部材３に当たっても、カバー部材３が前面パネル２から外れる可能性は極めて低い。
【００２６】
次に、図８は、図７の格納区画２０の周辺を拡大して示す斜視図である。前面パネル２には、ディスペンサ本体１の幅方向１ｂに沿う格納区画２０の両側から前方へと突出されるとともに、ディスペンサ本体１の高さ方向１ａに沿って格納区画２０の上端から下端まで延在された一対のリブ部２６が設けられている。カバー部材３は、前面パネル２に取付けられる際にリブ部２６間に挿入される。すなわち、リブ部２６は、前面パネル２に取付けらカバー部材３の側板部３２の外面側に位置される。このようなリブ部２６が設けられることで、仮に前面パネル２に水が付いたとしても、カバー部材３と格納区画２０との間から水が格納区画２０内に浸入できないようにされている。
【００２７】
このようなディスペンサでは、下部フック３１ａ及び係合穴２２０ａ、並びに上部フック３２ａ及び係合ピン２１０ａからなる係合部は、カバー部材３の下部を軸としてカバー部材３の上部を前方且つ下方へと引倒すカバー部材３の回動を許容しつつ、カバー部材３の上部を軸としてカバー部材３の下部を前方且つ上方へと引上げるカバー部材３の回動を規制するので、利用者がカップを持ち上げようとした際に利用者の手又はカップがカバー部材３に当たっても、係合部によりカバー部材３の回動が規制されることによりカバー部材３が前面パネル２から外れることを回避でき、利便性を向上できる。
【００２８】
また、格納区画２０内には、ディスペンサ本体１の動作を制御するための制御操作部２１が設けられているので、カバー部材３により制御操作部２１を隠すことができ、ディスペンサ本体１の動作設定を第三者が不必要に変更することを回避できる。
【００２９】
さらに、前面パネル２に対する側板部３２の突出量３２ｃは、側板部３２の下端から上端に向かうにつれて小さくなっているので、カバー部材３を取り外す際のカバー部材３の掴みしろを小さくでき、第三者によりカバー部材３が不必要に取り外されることを防止できる。すなわち、カバー部材３の取付け構造を知らない第三者のいたずらを防止できる。
【００３０】
さらにまた、ディスペンサ本体１の幅方向１ｂに沿う格納区画２０の両側から前方へと突出されるとともに、ディスペンサ本体１の高さ方向１ａに沿って格納区画２０の上端から下端まで延在された一対のリブ部２６が前面パネル２に設けられているので、カバー部材３と格納区画２０との間からの格納区画２０内への水の浸入を防止でき、格納区画２０内の衛生状態を確保できる。
【００３１】
なお、実施の形態では、下部フック３１ａ及び係合穴２２０ａ、並びに上部フック３２ａ及び係合ピン２１０ａの両方により係合部が構成されると説明したが、下部フック３１ａ及び係合穴２２０ａ、並びに上部フック３２ａ及び係合ピン２１０ａのいずれか一方により係合部が構成されてもよい。
【００３２】
また、実施の形態では、カバー部材３の底板部３１に下部フック３１ａが設けられ、前面パネル２の支持板部２２０に係合穴２２０ａが設けられると説明したが、これとは逆に、底板部に係合穴が設けられ、支持板部に下部フックが設けられ、底板部の下方から下部フックが係合穴に係合されるように構成してもよい。このように構成しても、カバー部材の上部を軸としてカバー部材の下部を前方且つ上方へと引上げるカバー部材の回動を規制できる。
【００３３】
同様に、実施の形態では、カバー部材３の側板部３２に上部フック３２ａが設けられ、前面パネル２の側壁部２１０に係合ピン２１０ａが設けられると説明したが、これとは逆に、側板部に係合ピンが設けられ、側壁部に上部フックが設けられ、上部フックの上方から係合ピンが上部フックに係合されるように構成してもよい。このように構成しても、カバー部材の上部を軸としてカバー部材の下部を前方且つ上方へと引上げるカバー部材の回動を規制できる。
【符号の説明】
【００３４】
１  ディスペンサ本体、２  前面パネル、３  カバー部材、２０  格納区画、２１  制御操作部、２２  放出部、２６  リブ部、３１ａ  下部フック（係合部）、３２  側板部、３２ａ  上部フック（係合部）、２１０ａ  係合ピン（係合部）、２２０ａ  係合穴（係合部）。
【図１】
0005832773.tif 000002
【図２】
0005832773.tif 000003
【図３】
0005832773.tif 000004
【図４】
0005832773.tif 000005
【図５】
0005832773.tif 000006
【図６】
0005832773.tif 000007
【図７】
0005832773.tif 000008
【図８】
0005832773.tif 000009